(57)【要約】【課題】光源ランプ及びリード線をハウジングへ効率よく簡単に着脱自在に固定できるようにしたバックライトユニットを提供すること。【解決手段】所定の間隔を開けて対向して配設された第１、第２のランプ支持台５０，５５と、これらの支持台にそれぞれ端部が固定された複数本の長尺光源ランプ４１ｉとを備え、前記第１のランプ支持台５０に第１の固定手段５１、前記第２のランプ支持台５５に第２の固定手段５６がそれぞれ設けられ、該第１、第２の固定手段５１，５６に、それぞれ前記光源ランプを少なくとも２本を１セットにして、着脱自在に固定する。【選択図】      図２
2004303539.tif 000002
【特許請求の範囲】
【請求項１】
所定の間隔をあけて対向して配設された第１、第２のランプ支持台と、これらの支持台にそれぞれ端部が固定された複数本の長尺光源ランプとを備え、前記第１のランプ支持台に第１の固定手段、前記第２のランプ支持台に第２の固定手段がそれぞれ設けられ、該第１、第２の固定手段に、それぞれ前記光源ランプを少なくとも２本を１セットにして、着脱自在に固定されていることを特徴とするバックライトユニット。
【請求項２】
前記第１、第２のランプ支持台は、何れも樹脂により形成され、該ランプ支持台に設けられた前記第１、第２の固定手段は、前記光源ランプの両端にそれぞれ結合されたランプホルダ及び該ランプホルダから導出されたリード線が収納される案内溝であることを特徴とする請求項１記載のバックライトユニット。
【請求項３】
前記第１、第２の固定手段に設けられた案内溝は、前記第１、第２のランプ支持台の長手方向に左右対称に対向配置されていることを特徴とする請求項２記載のバックライトユニット。
【請求項４】
前記第２の固定手段に設けられた案内溝は、前記リード線を挿通するガイド孔を跨いで前記第２のランプ支持台の長手方向に左右対称に対向配置されていることを特徴とする請求項２又は請求項３に記載のバックライトユニット。
【請求項５】
前記ガイド孔は、前記第２のランプ支持台に形成された筒状体内に設けられ、該筒状体は、その一端開口の周壁が外方へ突出され、該第２のランプ支持台が前記ハウジングに固定されたときに前記開口の周壁が該ハウジング底壁の開口から突出されることを特徴とする請求項４記載のバックライトユニット。
【発明の詳細な説明】
【０００１】
【発明が属する技術分野】
本発明は、フラット型表示装置に搭載されるバックライトユニットに係り、更に詳しくは、光源ランプ及び光源ランプに接続されたリード線をハウジングへ効率よく簡単に着脱自在に固定できるようにしたバックライトユニットに関する。
【０００２】
【従来の技術】
フラット型表示装置に使用されるバックライトは、光源ランプに冷陰極又は熱陰極管等の極細蛍光ランプが使用され、一般にエッジライト型と直下型に大別されている。このうち直下型バックライトは、エッジライト型に比べて多数本の光源ランプをハウジング内に配設することができることから、高輝度が必要な表示装置、例えばモニタ、テレビジョン受像機等のバックライトとして多く採用されている。
【０００３】
この直下型バックライトには、通常、光源に長尺蛍光ランプが使用されているが、近年、表示画面の大型化に伴い、この蛍光ランプがますます長尺化すると共にその使用本数も多くなっている。
【０００４】
ところが、蛍光ランプが長尺化するとその扱いが難しくなり、種々の障害が発生する。例えば、長尺蛍光ランプのハウジングへの装着の仕方によって、表示品質等に悪影響を及ぼすことがある。すなわち、蛍光ランプの取付け位置が不正確であると均一な画面表示ができなかったり、また外部から加わる衝撃、振動等に対して耐え得るようにしないと画面のちらつきの原因になったり、更には、装着部等に隙間が生じると、この隙間から埃、塵等が浸入して蛍光ランプ等に付着し照明効率が低下しまうことなどの障害が発生する。一方で、ランプ切れ或いはランプ寿命時等のランプ取替えに備えて、ランプ交換が簡単にできる構造も重要な設計事項となっている。
【０００５】
また、蛍光ランプに接続されるリード線の配線の仕方によっても、種々の障害が発生することがある。例えば、蛍光ランプから引き出されたリード線はハウジング内を這い回らされて引出し位置まで案内される。このため、どうしても引出し位置に至るまでのリード線の長さが長くなってしまい、特に蛍光ランプの一方の端部から引き出されたリード線は、ハウジングの内部を大きく迂回されて這い回されるため、より長くならざるを得ない。すると、高電圧且つ高周波で点灯される蛍光ランプでは、リード線が長くなれば、それに伴って電圧降下や漏れ電流が発生し、ランプのちらつきや点灯不具合等の原因になる。このような障害は、バックライトユニットの大型化に追随してリード線も長くなるため、より顕著になり、特に近年では表示装置の大型化が進展していることから、このような障害は表示品質に深刻な問題となっている。
【０００６】
これらの障害を解消する工夫が多く提案され実施されているが、特許文献でも多く紹介されている。（例えば、特許文献１、２）。
【０００７】
上記特許文献１に記載されている表示装置は、ハウジングと、このハウジング内に配置されて画像を形成する画像形成部と、前記ハウジング内に配置されて画像形成部の背面から光を照射して画像形成部に表示される画像を明るくするための背面型照明具と、この背面型照明具をハウジング内に着脱自在に保持する照明具の保持装置とを備え、この保持装置は、前記照明具の端部を挿入して保持する凹部と、この凹部に保持された照明具をハウジングに対して位置決めする位置決め部と、ハーネスを所定の方向に導くためのハーネス案内穴とで構成されている。
【０００８】
この保持装置によると、照明具の端部を保持装置の凹部に挿入するだけで背面型照明具をハウジングに正確に位置決めして取付けができると共に、外部からの衝撃を吸収でき、且つ埃等の浸入を防止することができる。
【０００９】
また、図８は、上記特許文献２に記載されたバックライトユニットの分解斜視図である。
【００１０】
このバックライトユニット１００は、冷陰極蛍光ランプ１０２と、この蛍光ランプ１０２の両端にハーネス１０５が導出されるように装着されたランプホルダ１０３と、一面に開口面を有すると共にこの開口面に対面するようにして設けられた反射板１０４とを備え、ランプホルダ１０３から導出されたハーネス１０５を反射板１０４の裏面側に延出させて蛍光ランプ１００を収納保持する筐体状のハウジング１０１とで構成されている。
【００１１】
このバックライトユニットによると、蛍光ランプから引き出されたハーネスは反射板の下に配線することができるので、有効発光面積の割合を広く確保することができる。
【００１２】
【特許文献１】
特開２０００−５６６９８号（第４〜５頁、図１０）
【特許文献２】
特開２００１−１３８８１号（請求項１、図１）
【００１３】
【発明が解決しようとする課題】
しかし、上記特許文献１に記載された保持装置は、照明具の両端部に１個ずつ装着するもので扱う部品数が多くなり、したがって、これら部品管理が難しく、しかも、取付け作業も極めて面倒で作業効率がよくない。また、照明具の両端部に接続されたハーネスは、ハウジングの左右両端へ導出されるので、一方端へ集約しようとすると、表示装置全体の構造を変更しなければならず、その変更も容易でない。
【００１４】
また、上記特許文献２に記載されたバックライトユニットは、ランプホルダを圧入・固定するために、反射板の両端にそれぞれ嵌合孔を形成しなければならない。このため反射板に穿孔加工が必要となり工数が掛かり、しかも、通常、反射板は薄シート材で形成されることから、蛍光ランプの固定が極めて不安定になる。このため長尺蛍光ランプをハウジングに堅固に固定することが難しくなっている。また、反射板には、複数の蛍光ランプを１本ずつ取付けるようにしているので、取付け作業が面倒で作業効率がよくない。更に、リード線を外部へ導出させる際に、ハウジングに形成された開口から導出するようになっているので、組立て時或いは使用中にリード線の外皮が開口縁と接触し外皮が損傷し、電気的短絡或いは断線事故に至る恐れがある。
【００１５】
本発明は、これら従来技術が抱える課題を解決するためになされたものである。本発明の目的は、光源ランプ及びこの光源ランプに接続されたリード線のハウジングへの装着・取外しを簡単にしたバックライトユニットを提供することにある。また、本発明の目的は、リード線をハウジングから導出する際にリード線を損傷しないようにしたバックライトユニットを提供することにある。
【００１６】
【課題を解決するための手段】
上記の目的は、以下の手段により達成できる。すなわち、本発明のバックライトユニットは、所定の間隔を開けて対向して配設された第１、第２のランプ支持台と、これらの支持台にそれぞれ端部が固定された複数本の長尺光源ランプとを備え、前記第１のランプ支持台に第１の固定手段、前記第２のランプ支持台に第２の固定手段がそれぞれ設けられ、該第１、第２の固定手段に、それぞれ前記光源ランプを少なくとも２本を１セットにして、着脱自在に固定されていることを特徴とする。
【００１７】
そして、前記第１、第２のランプ支持台は、何れも樹脂により形成され、該ランプ支持台に設けられた前記第１、第２の固定手段は、前記光源ランプの両端にそれぞれ結合されたランプホルダ及び該ランプホルダから導出されたリード線が収納される案内溝であり、また、前記第１、第２の固定手段に設けられた案内溝は、前記第１、第２のランプ支持台の長手方向に左右対称に対向配置されていることが好ましい。
【００１８】
この構成においては、少なくとも２本の光源ランプは、セットにして１乃至複数セットを第１、第２のランプ支持台に着脱自在に装着でき、しかも、これら光源ランプに接続されたリード線もセットにして扱いハウジング内に配線できるようになるので、光源ランプの装着及びその配線作業が簡単になる。
【００１９】
また、前記第２の固定手段に設けられた案内溝は、前記リード線を挿通するガイド孔を跨いで前記第２のランプ支持台の長手方向に左右対称に対向配置されており、また、前記ガイド孔は、前記第２のランプ支持台に形成された筒状体内に設けられ、該筒状体は、その一端開口の周壁が外方へ突出され、該第２のランプ支持台が前記ハウジングに固定されたときに前記開口の周壁が該ハウジング底壁の開口から突出されることが好ましい。
【００２０】
この構成においては、光源ランプに接続されたリード線は、一括して各セット毎にガイド孔からハウジング外へ導出されるので、リード線の配線が効率よく整然と配線できるようになる。また、各リード線はハウジングから導出される際にガイド孔の突出外周壁に接触し、ハウジング開口縁に当たらないので、この部分でリード線の絶縁被覆の損傷を防止できる。
【００２１】
【発明の実施の形態】
以下、図面を参照して本発明のバックライトユニットを説明する。図１は本発明の一実施形態のバックライトユニットを示す全体斜視図、図２は図１の分解斜視図、図３は図２における蛍光ランプをランプ支持台に取付けた状態の平面図、図４は図３の裏面図、図５は図４の部分拡大図で、同図（Ａ）は図４のＡ部分の拡大平面図、同図（Ｂ）は図４のＢ部分の拡大平面図、図６は図４のＢ部分の拡大斜視図、図７は図６の部分をハウジングで覆った状態を示す斜視図である。
【００２２】
図１、２を参照して、バックライトユニット１０は、ほぼＵ字状のハウジング２０と、このハウジング２０の内底壁面に敷設される反射板３０と、上記Ｕ字状ハウジング２０の開放端にそれぞれ配設される一対のランプ支持台５０、５５と、各ランプ支持台５０、５５に装着される複数本の光源ランプ４１ｉと、これらの部品組立体の外周を囲んで固定する固定枠６０とで構成される。なお、このバックライトユニットの上に光学部材及び表示パネル等が載置されて表示装置が構成されるが、図１では光学部材及び表示パネルは省略されている。
【００２３】
以下、上記バックライトユニットを構成する主要部品を説明する。
【００２４】
ハウジング２０は、横及び縦幅が表示パネル（図示省略）とほぼ同じ矩形状をなし、比較的広い平坦な底壁２１と、この底壁２１の両側から延びた所定高さの側壁２２ａ、２２ｂとを有し、ほぼＵ字状の枠体からなり、金属板材、樹脂材で形成される。各側壁２２ａ、２２ｂは、底壁２１の長手方向の両側端が所定の長さでほぼ９０度に起立して折曲され、この折曲端が更に外側に折曲され、この折曲部に段部２２ａ’、２２ｂ’が形成される。そして、これらの段部２２ａ’、２２ｂ’に反射板３０の両側端縁３１ａ、３１ｂが載置される。また、ハウジング２０の両開放端には、ランプ支持台５０、５５が装着されるスペース２３ａ、２３ｂが設けられている。
【００２５】
また、底壁２１には、所定間隔毎に複数個のスペーサ２５が形成されている。（図１参照）。これらのスペーサ２５は、ほぼ円錐形状の柱体からなり、バックライトユニットの上に光学部材等（図示省略）が載置されたとき、光学部材等が撓んで光源ランプに接触しないように光学部材を支持するものである。
【００２６】
反射板３０は、横及び縦幅がハウジング２０とほぼ同じ形状を有し、金属材、樹脂材で形成される。その長手方向には、所定間隔毎に断面形状がほぼ二等辺三角形をなす折曲部３１が配置され、その表面に反射材が塗布等されている。また、長手方向の両側端は、ハウジング２０の側壁２２ａ、２２ｂの形状に合わせて屈曲され、この折曲端が更に外側に折曲され、これらの両側端縁３１ａ、３１ｂがハウジング２０の段部２２ａ’、２２ｂ’に載置されるようになっている。なお、３３は、スペーサ２５の凸状部が挿通される開口である。（図３参照）。
【００２７】
光源ランプ４１ｉには、長尺な冷陰極蛍光ランプが使用され、それぞれの端部にリード線４４ａ、４４ｂ（図４参照）が導出されるようにしてランプホルダ４２、４３（以下、第１、第２のホルダという）が装着される。第１、第２のランプホルダ４２、４３は、所定の形状を有し絶縁樹脂材で形成される。この絶縁樹脂材には、弾性を有するものが好ましい。このランプホルダが弾性材で形成されると、ランプ支持台への装着時にランプ支持台の凹状溝への挿入及び位置決めが容易になると共に、外部から加わる衝撃、振動等を吸収することができる。また、蛍光ランプ４１ｉには管外壁に環状のスペーサ４５が所定の位置に装着される。このスペーサ４５は、蛍光ランプ４１ｉが撓んで反射板３０等に接触させないようにするものである。
【００２８】
第１のホルダ４２は、図５（Ａ）に示すように、長手方向の断面がほぼ四角形状をなす直方体からなり、蛍光ランプ４１ｉの端部外管に嵌挿される筒状部４２ａと、この筒状部から外側へ突出したフランジ４２ｂと、第１のリード線４４ａが導出される導出部４２ｃとからなっている。
【００２９】
また、第２のホルダ４３は、図５（Ｂ）に示すように、同様な直方体からなりほぼＬ字状に屈曲され、蛍光ランプの他端に嵌挿される筒状部４３ａと、第２のリード線４４ｂが導出される導出部４３ｂとからなっている。
【００３０】
第１、第２のリード線４４ａ、４４ｂのうち、第１のリード線４４ａは、バックライトユニット１０のグランドに接続されたグランド線（返し側）とされ、第２のリード線４４ｂは交流のｈｏｔ側リード線（送り側）とされる。第１のリード線４４ａは、第２のリード線４４ｂ側に延設されるため、第２のリード線４４ｂより長く形成される。送り側であるｈｏｔ側リード線は蛍光ランプ４１ａを安定に点灯させるため太く短いことが好ましい。長く引き回し配線される第１のリード線４４ａをグランド線とすることでランプの安定した点灯が可能になる。また、長く引き回されるリード線がユニット１０の小型化を妨げることになるが、グランド線であれば細くできるので、小型化にも適している。なお、他の蛍光ランプ４１ｂに接続された第１のリード線４４ａ’も第１のリード線４４ａと同様に配線される。
【００３１】
上記のようにランプホルダが装着された蛍光ランプは、少なくとも２本の蛍光ランプをペアにして、ランプセットが形成される。このランプセットは、以下のようにして組立てられる。
【００３２】
図４、５を参照して、２本の蛍光ランプ４１ａ、４１ｂは、その一端に装着された第１のホルダ４２、４２’を所定の間隔で互いに対向するように配設する。各第１のホルダ４２、４２’から導出された各第１のリード線４４ａ、４４ａ’は、２本の蛍光ランプ４１ａ、４１ｂ間に這わせて、第２のホルダ４３、４３’まで延設し、第２のホルダの近傍で１個の電気コネクタ４５ａに接続する。
【００３３】
一方、第２のホルダ４３、４３’も所定の間隔で互いに対向するように配設する。各第２のホルダ４３、４３’から導出された第２のリード線４４ｂ、４４ｂ’を他の電気コネクタ４５ｂに接続してランプセットを作成する。なお、このランプセットは、２本の蛍光ランプを組にしているが、２本に限定されずそれ以上の本数を使用してもよい。
【００３４】
一対のランプ支持台５０、５５は、第１のホルダ４２が装着されるランプ支持台５０（以下、第１の支持台という）と、第２のホルダ４３が装着されるランプ支持台５５（以下、第２の支持台という）とからなる。そして、これらは何れも角柱状の枠体からなり合成樹脂材により形成される。
【００３５】
第１の支持台５０は、第１のホルダ４２、４２’及び第１のリード線４４ａ、４４ａ’を対向させて装着する固定手段５１（以下、第１の固定手段という）がその長手方向に沿って所定間隔毎に複数組５１ａ〜５１ｄ設けられる。また、同様に第２の支持台５５にも第２のホルダ４３、４３’を対向させて装着する固定手段５６（以下、第２の固定手段という）がその長手方向に所定間隔毎に複数組５６ａ〜５６ｄ設けられる。
【００３６】
第１の各固定手段５１ａ〜５１ｄは、それぞれ同一の構造を有している。そこで、それらを代表してその一つの固定手段５１ａについて説明し、他の固定手段については説明を省略する。図５（Ａ）に示すように、固定手段５１ａは、第１のホルダ４２、４２’が挿入される凹状溝５２ａ、５２ａ’と、このホルダに接続されたリード線が収納される案内溝であるガイド溝５３ａ、５３ａ’とからなり、これらの凹状溝５２ａ、５２ａ’及びガイド溝５３ａ、５３ａ’は、支持台５０の長手方向に沿って対向して左右対称に設けられる。なお、各凹状溝５２ａ、５２ａ’及びガイド溝５３ａ、５３ａ’は、一側端から他側端へ突き抜けることなく同側端へ連通している。凹状溝５２ａ、５２ａ’は、第１のホルダ４２、４２’の形状に合わせ、直方体ホルダの３面が当接され、底壁面が開放されている。また各凹状溝５２ａ、５２ａ’は、その途中にホルダのフランジ部４２ｂ、４２ｂ’が挿入される深溝が形成され、更に、各凹状溝５２ａ、５２ａ’に連通して第１、第２のリード線４４ａ、４４ａ’が収納されるスリット状のガイド溝５３ａ、５３ａ’が形成される。このガイド溝５３ａ、５３ａ’は、第１、第２のリード線４４ａ、４４ｂ’を対向させてガイドするもので、各リード線４４ａ、４４ａ’が鋭角に屈曲しない角度で屈曲形成されている。
【００３７】
また、第２の固定手段５６ａ〜５６ｄも、それぞれ同一の構造を有しており、その一つの固定手段５６ａが図５（Ｂ）に示されている。固定手段５６ａは、第２のホルダ４３、４３’が挿入される凹状溝５７ａ、５７ａ’と、４本のリード線が挿通されるガイド孔５８ａとからなり、凹状溝５７ａ、５７ａ’の間にガイド孔５８ａが設けられている。なお、各凹状溝５７ａ、５７ａ’は、一側端から他側端へ突き抜けることなく同側端へ連通している。各凹状溝５７ａ、５７ａ’は、第２のホルダ４３、４３’の形状に合わせ、直方体ホルダの３面が当接され、底壁面が開放されている。
【００３８】
ガイド孔５８ａは、図６に示すように、４本のリード線４４ａ、４４ａ’、４４ｂ、４４ｂ’を収納できる開口であり、第２の支持台５５の上壁５５ａから底壁５５ｂへ貫通し、その外周囲が所定の厚さの外周壁で囲まれた筒状体５９内に形成されている。筒状体５９は、その外周壁の一部が第２の支持台の内壁（第１の支持台と対向する壁）に一体に結合され、また、筒状体５９の底壁５５ｂは、その端面が外方へ突出されている。その突出部５９ａ、５９ａ’の長さは、支持台５５がハウジング２０に装着された際に、ハウジング２０の開口２２（図７参照）、すなわちハウジング２０の底壁面から下方へ突出する長さに設定され、各リード線４４ａ、４４ａ’、４４ｂ、４４ｂ’の外皮が筒状体の突出部５９ａ、５９ａ’の内周面に触れ、ハウジング２０の開口２２の縁に接触しないようにする。
【００３９】
筒状体５９は、その外周壁と支持台５５との間に案内溝である縦溝５９ｂ、５９ｃ、５９ｂ’、５９ｃ’が形成され、また、筒状体５９の外周壁（支持台５５の外壁面）に縦溝５９ｄが形成され、これらの縦溝のうち、縦溝５９ｃ、５９ｃ’、５９ｄは支持台５５の上壁５５ａから底壁５５ｂへ連通し、これらの縦溝を通って各リード線４４ａ、４４ａ’、４４ｂ、４４ｂ’がガイド孔５８ａに収納される。更に、筒状体５９には、外周壁の側面（第２のランプホルダ４３、４３’の装着穴と対向する面）にＵ字状溝５９ｅ、５９ｅ’が設けられ、これらのＵ字状溝５９ｅ、５９ｅ’は第２の支持台５０の上壁５５ａから底壁５５ｂに向って形成されている。このＵ字状溝５９ｅ、５９ｅ’には、第２のリード線４４ｂ、４４ｂ’が第２のホルダ４３、４３’からほぼ直線状に延びてガイド孔５８ａに収納される。また、第１のリード線４４ａ、４４ａ’も縦溝５９ｃ、５９ｃ’、５９ｄを通った後にＵ字状溝５９ｅ、５９ｅ’を通過し、ガイド孔５８ａに収納されるようになっている。
【００４０】
固定枠６０は、図１、２に示すように、長辺及び短辺の枠体６１ａ、６１ｃと６１ｂ、６１ｄとからなり、各枠体６１ａ〜６１ｄの端部は、各枠体の端部に設けられたコーナー部材６１ｂ１、６１ｂ２と６１ｄ１、６１ｄ２で結合されている。
【００４１】
これらの部品を使用し、バックライトユニットは、以下の手順で組立てられる。
【００４２】
図１〜５を参照して、先ず、２本の蛍光ランプ４１ｉを用い１組のランプセットを組立てる。その組立ては、先に２本の蛍光ランプ４１ａ、４１ｂを用いてランプセットを組立てた手順により行う。すなわち、２本の蛍光ランプ４１ａ、４１ｂは、その両端にそれぞれ接続された各リード線４４ａ、４４ａ’と４４ｂ、４４ｂ’が導出されるようにして第１、第２のホルダ４２、４２’と４３、４３’を装着する。その際に、２本の蛍光ランプ４１ａ、４１ｂの一端に装着された第１のホルダ４２、４２’は、所定の間隔で互いに対向するように配設し、各第１のホルダ４２、４２’から導出された各第１のリード線４４ａ、４４ａ’を２本の蛍光ランプ４１ａ、４４ｂ間に這わせて、第２のホルダ４３、４３’まで延設させ、第２のホルダの近傍で１個のコネクタ４５ａに接続する。
【００４３】
一方、第２のホルダ４３、４３’も所定の間隔で互いに対向するように配設し、各第２のホルダ４３、４３’から導出された第２のリード線４４ｂ、４４ｂ’には他のコネクタ４５ｂを接続する。このようにして組立てたランプセットを複数セット準備する。
【００４４】
次いで、複数のランプセットをそれぞれ第１、第２の支持台５０、５５に装着する。その装着は、第１のホルダ４２、４２’を、第５図（Ａ）に示すように、対向する凹状溝５２ａ、５２ａ’にそれぞれ挿入する。その際に各ホルダ４２、４２’が弾性体で形成されていれば、凹状溝５２ａ、５２ａ’に圧入固定されることになる。一方、各ホルダ４２ａ、４２ａ’から導出されるリード線４４ａ、４４ａ’をガイド溝５３ａ、５３ａ’に収納し、そこから第２の支持台５５へ延設する。この配線は、各リード線４４ａ、４４ａ’を反射板３０の裏面に沿わせて第２の支持台５５へ延設する。
【００４５】
また、第２のランプホルダ４３、４３’も同様にして、第５図（Ｂ）に示すように、対向する凹状溝５７ａ、５７ａ’にそれぞれ挿入する。その際に各ホルダ４３、４３’が弾性体で形成されていれば、凹状溝５７ａ、５７ａ’に圧入固定されることになる。また各ホルダ４３、４３’から導出されるリード線４４ｂ、４４ｂ’は、縦溝５９ｄを通してガイド孔５８ａに収納する。なお、他の蛍光ランプ４１ｉも同様の手順で組立てられ、それぞれの固定手段に装着される。
【００４６】
２本の蛍光ランプをペアにして複数セット（図３では４セット）が第１、第２の支持台に装着された状態が図３、４に示されている。これらの図から、図４に示すように、反射板３０の裏面に第１のリード線４４ａ、４４ａ’が配線されている。次いで、反射板３０の裏面をハウジング２０の底壁２１に接触するようにして載置する。この載置の際に、第２の支持台５５の筒状体５９の突出部５９ａ、５９ａ’をハウジング２０の開口２２から露出させ、ガイド孔５８ａに収納された各リード線４４ａ、４４ａ’、４４ｂ、４４ｂ’をハウジングの開口２２から裏面から外へ導出させる。その際、第２のリード線４４ｂ、４４ｂ’は第２のホルダ４３、４３’からほぼ直線状に延びてガイド孔５８ａに収納され、また、第１、第２のリード線４４ａ、４４ａ’は、縦溝５９ｃ、５９ｃ’、５９ｄを通った後にＵ字状溝５９ｅ、５９ｅ’を通過し、ガイド孔５８ａに収納される。
【００４７】
したがって、各リード線のうち、第２のリード線４４ｂ、４４ｂ’は、第１のリード線に比べて、太いものが使用されても、第２のホルダ４３、４３’からほぼ直線状に延びてガイド孔５８ａに収納されので、リード線に無理な応力が加わることがない。また、第１のリード線４４ａ、４４ａ’には、細いものが使用され、縦溝５９ｃ、５９ｃ’、５９ｄ及びＵ字状溝５９ｅ、５９ｅ’をスムーズに通り抜けることができる。更に、各リード線４４ａ、４４ａ’、４４ｂ、４４ｂ’は纏めてガイド孔５８ａに収納されているので、各リード線がバラけることがなく、しかも各リード線の外皮損傷を防止できる。
【００４８】
その後、ハウジングに反射板３０及び複数のランプセットが装着された組立体の外周囲を固定枠６０で囲んで固定する。
【００４９】
【発明の効果】
本発明のバックライトユニットによれば、少なくとも２本の光源ランプは、セットにして１乃至複数セットを第１、第２のランプ支持台に着脱自在に装着でき、しかも、これら光源ランプに接続されたリード線もセットにして扱いハウジング内に配線できるようになるので、光源ランプの装着及びその配線作業が簡単になる。
【００５０】
また、光源ランプに接続されたリード線は、一括して各セット毎にガイド孔からハウジング外へ導出されるので、リード線の配線が効率よく整然と配線できるようになる。更に、各リード線はハウジングから導出される際にガイド孔の突出外周壁に接触し、ハウジング開口縁に当たらないので、この部分でリード線の絶縁被覆の損傷を防止できる。
【図面の簡単な説明】
【図１】本発明の一実施形態のバックライトユニットを示す全体斜視図である。
【図２】図１の分解斜視図である。
【図３】図２における蛍光ランプをランプ支持台に取付けた状態の平面図である。
【図４】図３の裏面図である。
【図５】図４の部分拡大図で、同図（Ａ）は図４のＡ部分の拡大平面図、同図（Ｂ）は図４のＢ部分の拡大平面図である。
【図６】図４のＢ部分の拡大斜視図である。
【図７】図６の部分をハウジングで覆った状態を示す斜視図である。
【図８】従来技術のバックライトユニットの分解斜視図である。
【符号の説明】
１０    バックライトユニット
２０    ハウジング
２２    開口
２１    底壁
３０    反射板
３１    折曲部
４１ａ、４１ｂ、４１ｉ  蛍光ランプ
４２ｂ    フランジ部
４２、４３    ランプホルダ
４３ｂ  導出部
４３ａ  筒状部
４４ａ、４４ｂ  リード線
４５ａ、４５ｂ  電気コネクタ
５０、５５    ランプ支持台
５１、５６    固定手段
５２ａ  凹状溝
５３ａ  ガイド溝
５５ａ  上壁
５５ｂ  底壁
５７ａ  凹状溝
５８ａ  ガイド孔
６０    固定枠
【図１】
2004303539.tif 000003
【図２】
2004303539.tif 000004
【図３】
2004303539.tif 000005
【図４】
2004303539.tif 000006
【図５】
2004303539.tif 000007
【図６】
2004303539.tif 000008
【図７】
2004303539.tif 000009
【図８】
2004303539.tif 000010